(57)【要約】【課題】人体或いは物体を即時に追跡できる無線影像音声撮影、保存が可能な自動感知ランプを提供する。【解決手段】センサー１１、発光器１２、撮影機２、連接ポート３、リモコンユニット４及びメモリ５を含む。センサーは受動式赤外線センサーであり、発光器はセンサー上に設置され、撮影機はセンサーに連結され、連接ポートはセンサーに連結され、リモコンユニットには発射器４１及び受信器４２が設置され、発射器はセンサー上に連結され、発射器により電信信号が受信器に発送され、メモリはセンサーに連結される。【選択図】図１
0003132264.tif 000002
【実用新案登録請求の範囲】
【請求項１】
センサー、発光器、撮影機、連接ポート、リモコンユニット及びメモリを備え、
該センサーは受動式赤外線センサーであり、
該発光器は該センサー上に設置され、
該撮影機は該センサーに連結され、
該連接ポートは該センサーに連結され、
該リモコンユニットには発射器及び受信器が設置され、該発射器は該センサー上に連結され、該発射器により電信信号が該受信器に発信され、
該メモリは該センサーに連結され、無線影像音声撮影、保存が可能なことを特徴とする自動感知ランプ。
【請求項２】
前記センサーには、一段以上の感知区間及び調整ボタンが設置されることを特徴とする請求項１に記載の自動感知ランプ。
【請求項３】
前記メモリは、該センサーに固設されることを特徴とする請求項１に記載の自動感知ランプ。
【請求項４】
前記メモリは分離型態であり、該感知ランプと結合されることを特徴とする請求項１に記載の自動感知ランプ。
【請求項５】
センサー、発光器、撮影機、連接ポート、影像音声無線ユニット、リモコンユニット及びメモリを備え、
該センサーは受動式赤外線センサーであり、
該発光器は該センサー上に設置され、
該撮影機は該センサーに連結され、
該連接ポートは該センサーに連結され、
該影像音声無線ユニットには発射器及び受信器が設置され、該発射器は該センサー上に連結され、該発射器により影像音声信号が該受信器に発信され、
該リモコンユニットには発射器及び受信器が設置され、該発射器は感知ランプ上に連結され、該発射器により電信信号が該受信器に発信され、
該メモリは該センサーに連結され、無線影像音声撮影、保存が可能なことを特徴とする自動感知ランプ。
【請求項６】
前記センサーには、一段以上の感知区間及び調整ボタンが設置されることを特徴とする請求項５に記載の自動感知ランプ。
【請求項７】
前記メモリは、該影像音声無線ユニットの受信器に固設されることを特徴とする請求項５に記載の自動感知ランプ。
【請求項８】
前記メモリは分離型態であり、該センサーと結合されることを特徴とする請求項５に記載の自動感知ランプ。
【考案の詳細な説明】
【技術分野】
【０００１】
本考案は、無線影像音声撮影、保存が可能な自動感知ランプに関する。特に発光器、撮影機がセンサーに従って回転動し、同時に人体或いは物体を即時に追跡可能であり、影像を撮影し、しかもメモリは分離型態であり感知ランプに結合可能な無線影像音声撮影、保存が可能な自動感知ランプに係る。
【背景技術】
【０００２】
中華民国特許公報第Ｍ２７３９１７号「感知機能を備えた発光器」には、ランプケース、感知モジュール、ランプ台及びスターターを含む。
該ランプケースは穿孔を備え、ケース体において環状部を延伸し、該感知モジュールは該環状部内に固設される。しかも該ランプ台は該穿孔内に結合され、同時に該ランプ台と該感知モジュールとは該スターターに連接される。これにより該感知モジュールを通して、人体或いは物体の移動を感知して信号を伝送し、該スターターを制御してランプ照明をオン／オフする。
しかし、該感知モジュールは一方向感知区に固定されるため、感知区内において移動する人体或いは物体を追跡して光照射することができず、またそれが感知した影像画面を撮影し、記憶ユニットに伝送して保存することができない。
【考案の開示】
【考案が解決しようとする課題】
【０００３】
本考案は、上記構造の問題点を解決した無線影像音声撮影、保存が可能な自動感知ランプを提供するものである。
【課題を解決するための手段】
【０００４】
上記課題を解決するため、本考案は下記の無線影像音声撮影、保存が可能な自動感知ランプを提供する。
それは主に無線影像音声撮影、保存が可能な自動感知ランプを提供し、影像音声撮影と記憶保存における問題を解決する。
本考案ではセンサー、発光器、撮影機、連接ポート、リモコンユニット及びメモリを含み、該センサーは受動式赤外線センサーであり、該発光器は該センサー上に設置され、該撮影機は該センサーに連結され、該連接ポートは該センサーに連結され、該リモコンユニットには発射器及び受信器を設置し、しかも該発射器は該センサー上に連結され、該発射器により電信信号を該受信器に発送し、該メモリは該センサーに連結され、上記センサーには一段以上の感知区間及び調整ボタンを設置し、上記メモリは該センサーに固設され、上記メモリは分離型態であり、該センサーと結合される。
本考案ではさらにセンサー、発光器、撮影機、連接ポート、影像音声無線ユニット、リモコンユニット及びメモリを含み、該センサーは受動式赤外線センサーであり、該発光器は該センサー上に設置され、該撮影機は該センサーに連結され、該連接ポートは該センサーに連結され、該影像音声無線ユニットには発射器及び受信器を設置し、しかも該発射器は該センサー上に連結され、該発射器により影像音声信号を該受信器に発送し、該リモコンユニットには発射器及び受信器を設置し、しかも該発射器は該センサー上に連結され、該発射器により電信信号を該受信器に発送し、該メモリは該センサーに連結され、上記センサーには一段以上の感知区間及び調整ボタンを設置し、上記メモリは該影像音声無線ユニットの受信器に固設され、上記メモリは分離型態であり、該センサーと結合される。該発光器と該撮影機とは該センサーに従って該感知区間内で回転移動するため、該発光器は該感知区間内の任一の角度で移動する人体（或いは物体）に光を照射し、撮影の死角を減らし、同時に即時に撮影影像を録画可能であり、該メモリにより影像音声信号セクションを保存することができ、また該メモリは分離型態で該センサーに連結され、これにより該感知ランプの盗難或いは破壊を回避することができ、遺失率或いは損壊率を低下させることができる。
【考案の効果】
【０００５】
上記のように、本考案では発光器、撮影機がセンサーに従って回転動し、同時に人体或いは物体を即時に追跡可能であり、影像を撮影し、しかもメモリは分離型態であり感知ランプに結合可能である。
【考案を実施するための最良の形態】
【０００６】
先ず図１に示すように、本実施例には感知ランプ１、撮影機２、連接ポート３、リモコンユニット４及びメモリ５を含む。
該感知ランプ１にはセンサー１１及び発光器１２を設置する。
該センサー１１は受動式赤外線センサー（ＰＩＲ／Passive Infra-Red Sensor）であり、しかも該発光器１２は該センサー１１上に設置される。該センサー１１には三段の感知区間１３（左側、中央、右側）及び調整ボタン１４を備える。該調整ボタン１４はそれぞれの照明の明るさ、時間及び感度を選択可能である。照明の明るさ（符号は“ＬＵＸ”）は該受動式赤外線センサー１１の周囲明暗に対する作動点を調整し、時間（符号は“ＴＩＭＥ”）は感知点灯時間を調整し、感度（符号は“ＳＥＮＳＩ”）は感知区間１３の感度範囲を調整する。
【０００７】
該発光器１２は該センサー１１に従って該感知区間１３内の人体或いは物体に対応して回転動し、こうして即時追跡を行い人体或いは物体に光を照射することができる。この他、該発光器１２は該センサー１１と固定結合される。
該撮影機２は該感知ランプ１のセンサー１１に連結され、該センサー１１の感知区間１３内において対応する人体或いは物体の影像を撮影する。
【０００８】
該連接ポート３は該センサー１１に連結される。該連接ポート３はＵＳＢ（Universal Serial Bus）、ＩＥＥＥ１３９４（すなわち、電子電機工程協会ＩＥＥＥ１９９５年制定の１３９４のファイヤーワイヤー（Firewire）高速直列伝送ポート、ＩＥＥＥ／Institute of Electrical and Electronics Engineers , Inc）の内の一つである。
【０００９】
該リモコンユニット４には発射器４１及び受信器４２を設置し、しかも該発射器４１は該センサー１１上に連結され、該発射器４１により電信信号を該受信器４２に発送する。
該メモリ５にはＯＦＦ、ＡＵＴＯ及びＯＮボタンを備える。ＯＦＦはメモリ録画機能の開閉を示し、ＡＵＴＯ（AUTOMATIC）は該センサー１１の制御に基づき作動する。ＯＮは該センサー１１の制御を受けず連続作動する。該メモリ５はＳＤメモリカード（Secure Digital card）、ＣＦカード（Compact Flash card）、ＭＭＣメモリカード（MultiMedia card）、ＭＳメモリカード（Memory Stick）の内の一つであり、録画時間及び保存を予め設定することができる。また、該メモリ５は固設型態或いは分離型態であり、該センサー１１と結合される。
【００１０】
使用時には図１、２に示すように、コンピュータを組合わせ実施する。
先ず、コンピュータを該連接ポート３に接続し、時間及び日時を入力し、該センサー１１の作動点、点灯時間及び感知感度設定?を調整し、該メモリ５の作動項目（本実施例ではメモリの作動項目をＡＵＴＯとする）を調整する。
【００１１】
該センサー１１が該感知区間１３内において人体（或いは物体）の移動を感知すると、該発光器１２は発光し、該撮影機２は該センサー１１に従って対応する感知区間１３内において回転動し、こうして撮影の死角がない状況となる。しかも同時に該感知区間１３内において探知された人体（或いは物体）の影像を撮影し、該コンピュータ内に伝送し、撮影された影像を予め設定された録画時間セクションに基づき処理し、該メモリ５内に保存する。
【００１２】
該メモリ５と該感知ランプ１とは分離型態であり、該感知ランプ１の盗難或いは破壊を回避し、該メモリ５の遺失率或いは損壊率を低下させることができる。
この時、該センサー１１は信号を該リモコンユニット４の発射器４１に触発し、該リモコンユニット４の発射器４１を通して電信信号を該リモコンユニット４の受信器４２に発送する。さらに、該受信器４２が受信した信号を電気製品（警報器、電灯等）に伝送し、報知或いは警示の機能を発揮することができる。この他、ソフトウエアを組合わせ、該連接ポート３を通して該撮影機２が現在撮影している影像画面を見ることもできる。
【００１３】
さらに図３に示すように、別の実施例では該感知ランプ１Ａのセンサー１１Ａ及び発光器１２Ａ、撮影機２Ａ、連接ポート３Ａ、リモコンユニット４Ａ、影像音声無線ユニット５Ａ及びメモリ６Ａを含むことができる。該センサー１１Ａには感知区間１３Ａ及び調整ボタン１４Ａを含み、該リモコンユニット４Ａには発射器４１Ａ及び受信器４２Ａを含む。該感知ランプ１Ａ、該撮影機２Ａ、該連接ポート３Ａ、該リモコンユニット４Ａ、及び該メモリ６Ａはすべて前記実施例（及び図１及び図２に示す実施例）と相同であるため、詳述しない。
【００１４】
該影像音声無線ユニット５Ａには発射器５１Ａ及び受信器５２Ａを設置し、しかも該発射器５１Ａは該センサー１１Ａ上に連結され、該発射器５１Ａにより影像音声信号を該受信器５２Ａに発送する。
この他、該メモリ６Ａは固設型態により、該影像音声無線ユニット５Ａの受信器５２Ａと、或いは分離型態により、該センサー１１Ａと結合することができる。
【００１５】
使用時については図３、４に示すように、前記実施例とおよそ相同であるため詳述しない。以下に差異についてのみ記述する。
該センサー１１Ａは信号を該影像音声無線ユニット５Ａの発射器５１Ａに触発し、該影像音声無線ユニット５Ａの発射器５１Ａにより影像音声信号を受信器５２Ａに発送し、演算処理後の影像音声セクションを該受信器５２Ａに発送し、該受信器５２Ａと連結するメモリ６Ａ内に保存する。或いは該影像音声無線ユニット５Ａの受信器５２Ａが受信した影像信号を電気製品（テレビ等）に伝送し即時に見ることができる。
【図面の簡単な説明】
【００１６】
【図１】本考案の一実施例における無線影像音声撮影、保存が可能な自動感知ランプを示すブロックチャートである。
【図２】本考案の一実施例における無線影像音声撮影、保存が可能な自動感知ランプを示すフローチャートである。
【図３】本考案の別の実施例における無線影像音声撮影、保存が可能な自動感知ランプを示すブロックチャートである。
【図４】本考案の別の実施例における無線影像音声撮影、保存が可能な自動感知ランプを示すフローチャートである。
【符号の説明】
【００１７】
１:感知ランプ、１１：センサー、１２：発光器、１３：感知区間、１４：調整ボタン、２：撮影機、３：連接ポート、４：リモコンユニット、４１：発射器、４２：受信器、５：メモリ、１Ａ：感知ランプ、１１Ａ：センサー、１２Ａ：発光器、１３Ａ：感知区間、１４Ａ：調整ボタン、２Ａ：撮影機、３Ａ：連接ポート、４Ａ：リモコンユニット、４１Ａ：発射器、４２Ａ：受信器、５Ａ：影像音声無線ユニット、５１Ａ：発射器、５２Ａ：受信器、６Ａ：メモリ
【図１】
0003132264.tif 000003
【図２】
0003132264.tif 000004
【図３】
0003132264.tif 000005
【図４】
0003132264.tif 000006
【手続補正書】
【提出日】平成19年3月16日(2007.3.16)
【手続補正１】
【補正対象書類名】明細書
【補正対象項目名】０００８
【補正方法】変更
【補正の内容】
【０００８】
該連接ポート３は該センサー１１に連結される。該連接ポート３はＵＳＢ（Universal Serial Bus）、ＩＥＥＥ１３９４（すなわち、電子電機工程協会ＩＥＥＥ１９９５年制定の１３９４のファイヤーワイヤー（Firewire「登録商標」）高速直列伝送ポート、ＩＥＥＥ／Institute of Electrical and Electronics Engineers , Inc）の内の一つである。
【手続補正２】
【補正対象書類名】明細書
【補正対象項目名】０００９
【補正方法】変更
【補正の内容】
【０００９】
該リモコンユニット４には発射器４１及び受信器４２を設置し、しかも該発射器４１は該センサー１１上に連結され、該発射器４１により電信信号を該受信器４２に発送する。
該メモリ５にはＯＦＦ、ＡＵＴＯ及びＯＮボタンを備える。ＯＦＦはメモリ録画機能の開閉を示し、ＡＵＴＯ（AUTOMATIC）は該センサー１１の制御に基づき作動する。ＯＮは該センサー１１の制御を受けず連続作動する。該メモリ５はＳＤメモリカード（Secure Digital card）、ＣＦカード（Compact Flash 「登録商標」）、ＭＭＣメモリカード（MultiMedia card）、ＭＳメモリカード（Memory Stick「登録商標」）の内の一つであり、録画時間及び保存を予め設定することができる。また、該メモリ５は固設型態或いは分離型態であり、該センサー１１と結合される。